(57)【要約】【課題】重量野菜の収穫、箱詰、搬出作業に、加工用トマトのごとく、内容量の重量を計量する必要がある場合があり、作業者は秤、空箱、箱詰途中の箱、箱詰完了計量前の箱、計量済の箱を収穫位置の移動と共に持ち歩く作業が付帯し、秤を安定設置する場所の選択、計量箱の秤上への乗せ下ろし作業があり、その後計量済の箱の圃場外への搬出、トラック積み込み作業がある。秤の数も、作業者１人に１台、又は、２~３人に１台必要で、秤を複数で共用すると、作業者の移動歩数は増加する。そこで、秤の台数を減じ、計量作業を軽作業化し省力化することを課題とする。【解決の手段】計量するに最適な被計量箱の底面に対応するローラコンベアを移設又は移動を容易にするために、同コンベアに脚又は車輪を備え、コンベア下面の空間に上下動する機構を組み込んだ秤を備える構造とし、ローラ間を貫通して被軽量箱底面に持ち上げる力を伝達する構造物を介在させた。【選択図】図２
2018004517.tif 000002
【特許請求の範囲】
【請求項１】
等間隔に設ける複数のローラ、同ローラの回動を支持するローラ軸、同ローラ軸の両端を支える一対のローラコンベア主フレームを主要構成要素とするローラコンベア、
前記ローラコンベアは、同ローラコンベアの主フレームの両端部下面の各々を二本の車輪又は二本の脚を合計で4本設けて中空に支持し、移設又は移動を簡便に行なう構造を備え、
前記4本の車輪をローラコンベアの長手方向又は短手方向に転動するように設けたローラコンベアに、後付して設ける秤ユニットおいて、
前記秤ユニットは、前記ローラコンベアの選択した下部中空位置に配し、
秤、秤置台、ガイド兼秤置台上下駆動ユニット支持支柱、秤置台上下駆動ユニット及び計測物受け特殊形状物を主要構成要素とし、
前記秤は、同秤の最上部に計量物受け皿を備え、上下動する前記秤置台上に配し、
前記秤置台は、秤置台上下駆動ユニットで支持し、且つ同秤置台の四隅に滑らかな上下動を補助するガイドシューを備え、前記ガイドシューを介して、４本のガイド兼秤置台上下駆動ユニット支持支柱に沿って上下する構造を備え、
前記ガイド兼秤置台上下駆動ユニット支持支柱は、同ガイド兼秤置台上下駆動ユニット支持支柱の上端部を前記ローラコンベア主フレームより吊り下げた状態で固定する構造で、一本の主フレームより２本合計４本を垂直下方に設け、
前記ガイド兼秤置台上下駆動ユニット支持支柱の下端部には、前記秤置台上下駆動ユニットを設け、
前記秤置台の上に配した前記秤は、前記計量物受け皿上に計量物受け特殊形状物を配し、
前記計量物受け特殊形状物は、概観形状を高下駄の２枚の歯を上に向けた形状で、前記歯の数は２枚以上設けてもよく、
前記計量物受け特殊形状物の歯は、その厚みと幅において十分な座屈強度を備え、隣接するローラと平行するローラコンベア主フレームで形成される長方形の空間を上下に貫通するように設け、前記ローラ及びローラコンベア主フレームに干渉することなく上下できる構造で、前記歯の幅は略ローラの長さに等しく、
前記歯を設けるピッチは、計量する箱底面を安定して持ち上げる間隔で、ローラ取り付けピッチの略整数倍に設け、
前記歯の先端はローラの頂点より若干下がった位置をホームポジションとする構造で、
前記歯の根っこ部は、計量対象物の箱の底面がローラの頂点から十分に離れる位置まで持ち上がった状態で、ローラの下面と接触しない構造を備える、
上述のような構造を備えることを特徴とする、ローラコンベアに後付で装着する秤ユニット。
【発明の詳細な説明】
【技術分野】
【０００１】
本発明は、頻繁に移動する作業現場で、ローラコンベア上を移動する箱の重量を簡便に計量するために移設又は移動式ローラコンベアに後付で備える秤ユニットに関する。
【背景技術】
【０００２】
農作物の出荷には市場出荷と加工業者向け出荷に大きく分けられるが、加工業者向け出荷は内容量の重量が大きなチェック項目の一つで、収穫、箱詰めの際に計量の作業が追加され、生産者の大きな負担となっている。
【０００３】
収穫作業中の重量計量の作業は、加工用トマトやカット野菜用キャベツに代表されるが、秤を圃場内に持ち込み、秤を持ち歩き、秤が安定設置できる場所を探し、実入りの箱を秤に乗せて、重量の過不足により内容量を調整するが、過不足の場合は適当な重量の収穫物を足すか引くか置き換えたりするが、調整用の収穫物の取り扱いも極めて煩雑で作業者の移動歩数増加を伴う手間の掛かる重労働の作業である。
【０００４】
また、箱を一杯にするために収穫位置の移動に沿って箱を持ち歩き、箱が一杯になると秤で計量するが、箱又は秤の一方又は両方を移動させ、計量調整が完了すると一つの箱詰めが完了してその場近くに仮置きするか、搬出用の台車に乗せるか、徒歩で運びトラック等に積込むが、
特に加工用のトマトの実入りの箱は２２．５ｋｇ以上が規格重量で、非常に重く、通常は畝幅が広くて畝を跨いで横方向の移動が困難なために、畝と畝の間の通路を長い距離歩く必要があり、一輪車等を使う場合もあるが、収穫物の搬出作業は単純な繰り返しの重労働となり、生産者の減少を助長している。
【０００５】
収穫作業時の、箱詰めした実入りの箱の圃場外への搬出作業は、市場出荷と加工業者向け出荷に関わらず、生産者が苦労する最大の課題の一つであり、新型の運搬台車の提案、ローラコンベアの利用、ローラコンベアに車輪を備え移動機能を付加した搬出装置等が提案され、実入りの箱を持って歩かない、又は持ち歩く歩数を限りなくゼロに近づける工夫がなされている。
中規模・大規模の加工用トマトの収穫搬出作業の現状は、収穫、箱詰め、計量調整、圃場外運び出し、トラック積みの一連の作業を一箱単価で作業者個人に請け負わせる形態を取る場合が多い。
【先行技術文献】
【特許文献】
【０００６】
【特許文献１】特開２０１４−２２７２４１号公報
【発明の概要】
【発明が解決しようとする課題】
【０００７】
重量野菜の収穫作業において、箱詰めした収穫物の重量を計測調整する必要のある場合、秤と空箱、箱詰め途中の箱、箱詰めを完了した箱を頻繁に移動する作業が付帯し、内容量の重量計量調整が完了して一段落し、同箱を搬出してトラックに積む作業が続くが、両作業はともに重労働で時間を要する作業である、
上述の作業中の秤と箱の頻繁な移動を大幅に無くし、作業者の数に比例して増加する秤の台数を減じ、内容量の重量計量調整作業を省力化することを課題とする。
【課題を解決するための手段】
【０００８】
本発明品の秤ユニットを備えたローラコンベアは単独で、又は特開２０１４−２２７２４１号公報で提案されている圃場内利用ローラコンベア搬出装置のローラコンベアを複数連結して利用する最終段に連結して用い、最終的に積込むトラック等の運送車両の前段に配置し、同車両と共に移動又は移設可能な構造とする。
【０００９】
１本のローラコンベアの選択した位置に秤ユニットを備え、同ローラコンベア上を移動して秤ユニットの上にきた箱を若干持ち上げて箱の重量を計量調整する構造とした。
【００１０】
又、前記秤ユニットを備えたローラコンベアは合計４本の脚又は車輪で支持する構造とした。
【００１１】
秤ユニットは、作動しないときはローラコンベア上を移動する箱の底面に干渉しない構造とした。
【発明の効果】
【００１２】
収穫物の箱詰め作業における箱の中身の状態で、空箱、箱詰め途中の箱、計量前の実入りの箱、計量完了後の実入りの箱と４分類すると、計量前の実入りの箱、計量完了後の実入りの箱のハンドリング回数が激減し、それに伴う肉体負荷の軽減と作業時間の短縮効果がある。
【００１３】
又、秤は一台でよく、作業者も専属の一名でよく、重量調整作業も調整用の作物の仮置きスペースが身近に配することができるので動きの少ない作業となり、運送車両への積替え作業も持ち上げる作業や持って歩く作業が激減する効果がある。
【図面の簡単な説明】
【００１４】
【図１】本発明の一実施形態に係る秤ユニットを備えた移動式ローラコンベアの概略平面図で、上限ストッパーの記入を省略した図である。
【図２】図１の概略側面図に被計量箱を追記した図。
【図３】図2の矢視Ａ−Ａの概略断面図で直列二輪台車を省略し、1本のガイド兼秤置台上下駆動ユニット支持支柱の下端部を切り欠いた図。
【発明を実施するための形態】
【００１５】
以下、図面を参照しつつ、本発明の実施の形態を説明する。
【００１６】
図１及び図２に示す秤ユニット２を備えた移動式ローラコンベア１は、２台の直列二輪コンベア台車１１に支えられた四輪車状態で、人力で押し引きして移動する。
【００１７】
利用するローラコンベア１２１の全長、直列二輪コンベア台車１１の取り付け位置、及び秤ユニット２の取り付け位置は、畝の幅、畝間通路の幅、トラック等搬出車両の乗り入れ道の幅等々の圃場条件により、生産者の選択事項で、
利用するローラコンベア１２１のローラ１２２の幅に準じる全幅は被計量箱４の底面の寸法で決定し、秤ユニット２の主要寸法は、ローラコンベア１２１と被計量箱４の主要寸法に対応する寸法で制作する。
【００１８】
被計量箱４が図１及び図２の左より移動してくる場合、秤ユニット２の上に被計量箱４がくると、作業者は手で停止させ、足でペダル３１２を踏み、秤置台２２を押し上げ、秤置台２２に備えるガイドシュー２２１の上端が上限ストッパー２２２に接した状態となり、作業者がペダル３１２を踏み続けると被計量箱４の底面はローラ１２２を地切りした安定状態となり、その状態で内容量の過不足を調整し、調整が終わるとペダル３１２を踏む力を徐々に除けば被計量箱４はローラ１２２で支持される状態に戻り、作業者は右方向に被計量箱４を送り出す。
ペダル３１２を踏む力を解除した状態は、秤置台２２に備えるガイドシュー２２１の下端が下限ストッパー２２３に接し、秤置台駆動ユニット３は無負荷の状態となる。
【００１９】
同じ秤２１で異なる重量の被計量箱４を計測する場合は、上限ストパー２２２は移設可能な構造が必要であり、
異なる形状の秤２１を交換して利用する場合は、上限ストパー２２２及び下限ストッパー２２３は移設可能な構造が必要である。
【００２０】
ローラコンベア１２１の主フレーム１２４の2本を平行に連結し、主フレーム１２４の内々寸法やズレを保つ主ステイ及びステイパイプと同ステイパイプ連結長寸ボルトが補助部品として組み込まれており、秤ユニット２の装着に邪魔になる場合は前記補助部品を取り外し、必要があれば前記補助部品に替わる補強策をとる。
【００２１】
図１、図２及び図３に示す秤ユニット２は、４本のガイド兼秤置台上下駆動ユニット支持支柱２５、計量物受け特殊形状物２４、秤２１、秤置台２２、秤置台上下駆動ユニット３で構成し、
４本のガイド兼秤置台上下駆動ユニット支持支柱２５はアングル部材を用い、同支柱２５の上端を主フレーム１２４にボルト等で固定し、同支柱２５の下端は秤置台上下駆動ユニットの底面部材３２と連結し、且つ、４本の支柱２５の内々を秤置台２２が、同台２２の四隅に設けたガイドシュー２２１を介して滑らかな上下動をガイドする機能を持ち、
４本のガイド兼秤置台上下駆動ユニット支持支柱２５には上限ストッパー２２２及び下限ストッパー２２３を備え、上限ストッパー２２２は計量物受け特殊形状物の歯２４１の先端のローラよりの出代を決定し、下限ストッパー２２３は計量物受け特殊形状物の歯２４１の先端のローラよりの沈み代、ホームポジション、を決定する。
【００２２】
計量物受け特殊形状物２４は、秤２１の本体最上部に備える計量物受け皿２３上に配置して用い、秤置台上下駆動ユニット３の上下動の力をローラコンベア１２１のローラ１２２間を貫通して被計量箱４の底面に伝える役目を担う。
【００２３】
秤２１は秤置台２２上に配し、秤置台２２が上昇を続け前記計量物受け特殊形状物の歯２４１の先端が被計量箱４の底面に接して後は、秤２１は被計量箱４の重量とバランスするまで圧縮され、バランス後、被計量箱４はローラを地切して計量可能な状態となり、同時にガイドシュー２２１の上端は上限ストッパー２２２と接して秤置台２２の上昇は止まる。
【００２４】
秤置台上下駆動ユニット３は、梃子棒３１及び秤置台上下駆動ユニットの底面部材３２で構成し、
梃子棒３１の下端部は梃子棒のペダル３１２、梃子棒３１の上端部は梃子棒先端の秤置き台の底面支持部３１３を備え、ペダル３１２と梃子棒先端の秤置き台の底面支持部３１３の選択された中間位置に梃子棒の支点３１１を備え、作業者がペダルを踏むと秤置台２２の底面を押し上げる構造で、梃子棒先端の秤置台の底面支持部３１３と秤置台２２の底面とは上下動に従って接点が移動するために、梃子棒先端の秤置台の底面支持部３１３は秤置台２２の底面に対し、滑らかに滑動する構造とした。
【００２５】
秤置台上下駆動ユニット３の底面部材３２は、梃子棒の支点３１１を支持す座を設ける役目と、ガイド兼秤置台上下駆動ユニット支持支柱２５の下端部の形状保持の役目を担う。
【００２６】
秤置台上下駆動ユニット３は、本例示では、足ふみ式の梃子棒３１を表記したが、手動式でも良く、又気体又は液体の圧力シリンダーを用いても、電動ボールネジを用いても良く、駆動方式を特定するものではない。
【産業上の利用可能性】
【００２７】
上述のごとく構成する、移設又は移動式ローラコンベアに後付で備える秤ユニットは、個々の作業者が最適なローラの種類とローラの設置ピッチ、機長及び機幅を選択し、使用する秤を選択し、それらに最適な秤ユニットを導入することで、計量作業は1人で行なうことができ、秤は一台でよく、軽作業化・省力化が実現できる。
【符号の説明】
【００２８】
１      秤ユニットを備えた移動式ローラコンベア
１１    直列二輪コンベア台車
１１２  直列二輪コンベア台車のフレーム
１１３  直列二輪コンベア台車の車輪
１２１  ローラコンベア
１２２  ローラ
１２３  ローラ軸
１２４  ローラコンベア主フレーム
２      秤ユニット
２１    秤
２２    秤置台
２２１  秤置台のガイドシュー
２２２  秤置台の上限ストッパー
２２３  秤置台の下限ストッパー
２３    秤の計量物の受け皿
２４    計量物受け特殊形状物
２４１  計量物受け特殊形状物の歯
２５    ガイド兼秤置台上下駆動ユニット支持支柱
２５１  
３      秤置台上下駆動ユニット
３１    梃子棒
３１１  梃子棒の支点
３１２  梃子棒のペダル
３１３  梃子棒先端の秤置台の底面支持部
３２    秤置台上下駆動ユニットの底面部材
４      被計量箱
５      地面  
【図１】
2018004517.tif 000003
【図２】
2018004517.tif 000004
【図３】
2018004517.tif 000005